(57)【要約】      （修正有）【解決手段】装置及びプロセスは、基材上のレンダリングされた画像を液体材料でオーバーコーティングする。この装置は、走査デバイス及び走査デバイスと位置合わせされたマーキングモジュールを含む。走査デバイスは、レンダリングされた画像を含む基材を走査して走査データを取得するＳ１０ために使用される。可動搬送部材は、レンダリングされた画像を含む走査基材をマーキングサブシステムの下の場所に移動させる。コントローラは、走査データから生成した登録及び画像データを使用して、レンダリングされた画像を基材上にオーバーコーティングするＳ３０。【効果】既存のレンダリングされた印刷物にテクスチャを追加することを可能にする印刷システムを提供する。【選択図】図３
2019059231.tif 000002
【特許請求の範囲】
【請求項１】
上部にレンダリングされた画像を有する基材を液体材料でオーバーコーティングするための装置であって、
上部に前記レンダリングされた画像を有する前記基材を移動させるための可動搬送部材と、
上部に前記レンダリングされた画像を有する前記基材を走査して走査データを取得するための走査デバイスと、
前記走査データから登録データ及び画像データを生成するための、前記走査デバイスに動作可能に接続されたコントローラであって、前記画像データが、前記基材上の前記レンダリングされた画像を表す、コントローラと、
前記コントローラに動作可能に接続され、前記走査デバイスの下流に位置するマーキングモジュールであって、前記コントローラから受け取った登録データ及び前記画像データに応答して、前記基材上の前記レンダリングされた画像を前記液体材料でオーバーコーティングする、マーキングモジュールと、を備える、装置。
【請求項２】
前記走査デバイスが、前記可動搬送部材の少なくとも一部の上に延在する全幅アレイ走査デバイスを含む、請求項１に記載の装置。
【請求項３】
前記マーキングモジュールが、インク液滴の形態で液体材料を分配し、
前記コントローラが、前記決定された登録データ及び前記決定された画像データに基づいて前記マーキングモジュールによる前記液体材料の分配を制御して、前記レンダリングされた画像上の正確な配置を保証する、請求項１に記載の装置。
【請求項４】
前記液体材料が、透明ＵＶ硬化性ゲル化剤インクを含む、請求項１に記載の装置。
【請求項５】
上部に配置された前記透明ＵＶ硬化性ゲル化剤インク及び前記レンダリングされた画像を硬化させるための、前記マーキングモジュールに隣接し、かつ前記走査デバイスと前記マーキングモジュールの両方と位置合わせされたＵＶ硬化デバイスをさらに備える、請求項４に記載の装置。
【請求項６】
前記レンダリングされた画像を前記走査デバイスで走査する前に、前記基材上の前記レンダリングされた画像が、電子写真プロセスによってレンダリングされる、請求項１に記載の装置。
【請求項７】
前記基材上の前記レンダリングされた画像が、シリコンオイルを含み、前記レンダリングされた画像が、シリコンオイルを含む前記レンダリングされた画像に付着するように適合された透明ＵＶ硬化性ゲル化剤インクでオーバーコーティングされる、請求項４に記載の装置。
【請求項８】
前記走査デバイス、前記マーキングサブシステム、前記可動搬送部、及び前記コントローラが、スタンドアロンユニットの一部であり、前記レンダリングされた画像を含む前記基材が、スタンドアロンユニットのフロントエンドで前記全幅アレイ走査デバイスに供給され、透明ＵＶ硬化性ゲル化剤インクでオーバーコーティングされた前記レンダリングされた画像と共に、スタンドアロンユニットのバックエンドで、出力として送達される、請求項１に記載の装置。
【請求項９】
前記コントローラが、前記基材の背景色を決定し、前記基材の前記決定された背景色と前記走査データとの比較に基づいて、前記基材上の前記レンダリングされた画像を表す前記画像データを前記走査データから決定する、請求項１に記載の装置。
【請求項１０】
上部にレンダリングされた画像を有する前記基材を透明ＵＶ硬化性ゲル化剤インクでオーバーコーティングするための装置であって、前記透明ＵＶ硬化性ゲル化剤インクが、インク液滴の形態で分配可能であり、前記レンダリングされた画像が、電子写真マーキングプロセスによってレンダリングされ、前記レンダリングされた画像が、シリコンオイルを含む、前記装置が、
可動搬送部材であって、上部に前記レンダリングされた画像を有する前記基材を移動させる、可動搬送部材と、
上部に前記レンダリングされた画像を有する前記基材を走査して走査データを取得するための走査デバイスと、
登録データ及び画像データを生成するための、前記走査デバイスに動作可能に接続されたコントローラであって、前記画像データが、前記走査データから前記基材上の前記レンダリングされた画像を表す、コントローラと、
前記コントローラに動作可能に接続され、前記走査デバイスの下流に位置するマーキングモジュールであって、前記コントローラから受け取った登録データ及び前記画像データに応答して、前記基材上の前記レンダリングされた画像を前記透明ＵＶ硬化性ゲル化剤インクでオーバーコーティングする、マーキングモジュールと、を備える、装置。
【請求項１１】
前記コントローラが、前記基材の背景色を決定し、前記基材の前記決定された背景色と前記走査データとの比較に基づいて、前記基材上の前記レンダリングされた画像を表す前記画像データを前記走査データから決定する、請求項１０に記載の装置。
【発明の詳細な説明】
【技術分野】
【０００１】
審美的に好ましいテクスチャのために、名刺、招待状、プラカードなどの印刷製品には、トナーまたはインクオーバーコーティング、特に透明オーバーコーティングを有する印刷がしばしば望まれる。また、そのような印刷は、しばしば高品質及び高級品と同等視される。「サーモグラフィー」または「サーモグラフィー印刷」を含む、透明トナーまたはインクで画像をオーバーコーティングするためのいくつかのアプローチが開発されている。
【背景技術】
【０００２】
サーモグラフィー印刷の一例では、媒体上のベース画像は意図的に未硬化または融着したままであり、タック層として働く「湿った」表面を画像上に作成する。プロセスが進むにつれて、粉末または乾燥基材が画像の「湿った」面に塗布され、粉末が画像に付着する。真空プロセスを適用して、媒体面から全てのゆるいまたは残留する粉末を除去する。上部に画像を有する媒体は、次に、転移が起こる加熱装置（オーブンなど）に移される。乾燥粉末は溶融状態になり、硬化して凝固することが可能になる。最終結果は、サーモグラフィー印刷として知られる、画像上にマッピングされた隆起したテクスチャ加工された面である。
【０００３】
サーモグラフィー印刷は、煩雑であり、ハードウェア集約的なプロセスであり、サーモグラフィー画像を生成するための多数の操作ステップを必要とする。これは、デジタル印刷で遭遇する費用よりもかなり高い運転コストをもたらす。高いコストは、とりわけインライン印刷の欠如、熟練労働力とエネルギーの高い需要、ならびに複数の機械の必要性に起因する。
【０００４】
オーバーコーティングの別のアプローチは、透明トナーを使用する電子写真プリンタで見出すことができる。例えば、米国特許第７，２１２，７７２号は、テクスチャが所望される場所に対応する場所に透明トナーを塗布することによって、基材上に三次元テクスチャを印刷するように構成された電子写真プリンタを開示している。テクスチャのための透明トナーは、他の色（例えば、ＣＭＹＫ）が基材に適用された後、またはその前に適用されてもよい。
【０００５】
電子写真印刷システムは、電子写真プリンタに結合された文書を走査して、オペレータが走査文書の再生中にテクスチャを追加することを可能にするフロントエンドステーションを含むことができる。
【０００６】
米国特許第７，２１２，７７２号に関連して上述した電子写真印刷システムは、電子写真印刷物にテクスチャを追加するプロセスを提供するが、米国特許第７，２１２，７７２号は、既存のレンダリングされた印刷物にテクスチャを追加せず、レンダリングされた印刷物には、（１）画像を形成するトナーがその上部に融着された基材である、レンダリングされた電子写真印刷物、または（２）画像を形成するインクがその上部に乾燥された基材である、レンダリングされたインク印刷物、のいずれかが典型的に含まれる。
【０００７】
したがって、既存のレンダリングされた印刷物にテクスチャを追加することを可能にする印刷システムを提供することが望ましい。
【図面の簡単な説明】
【０００８】
図面は、様々な実施形態を説明するためのものに過ぎず、限定するものとして解釈されるべきではない。
【０００９】
【図１】レンダリングされた印刷物をオーバーコーティングするための印刷システムの概略平面図である。
【図２】図１の印刷システムで使用されるいくつかの印刷ヘッドの概略斜視図である。
【図３】レンダリングされた印刷物をオーバーコーティングするためのプロセスを示すフローチャートである。
【図４】部分的に画像化された面を有する印刷媒体の断面図である。
【図５】部分的に画像化された面とオーバーコーティング層とを有する印刷媒体の断面図である。
【図６】透明なレンダリングされた境界を有し、部分的に画像化された面を有する印刷媒体の断面図である。
【図７】透明なレンダリングされた境界と滲み出しオーバーコーティング層とを有する、部分的に画像化された面を有する印刷媒体の断面図である。
【図８】透明なレンダリングされた境界を有する、画像化された面を有する印刷媒体の上面図である。
【図９】部分的に画像化された面を有するコーティングされた印刷媒体の断面図である。
【図１０】部分的に画像化された面と滲み出しオーバーコーティング層とを有するコーティングされた印刷媒体の断面図である。
【図１１】部分的に画像化された面を有する印刷媒体の断面図である。
【図１２】部分的に画像化された面とクリッピングされたオーバーコーティング層とを有する印刷媒体の断面図である。
【発明を実施するための形態】
【００１０】
一般的な理解のために、図面を参照する。図面において、いくつかの例では、同一または同等の要素を指定するために、同じ参照番号が使用されている。また、図面は縮尺通りに描かれておらず、その特徴及び概念が適切に図示され得るように、特定の領域が意図的に不釣合に描画されている可能性があることにも留意されたい。
【００１１】
以下の説明では、レンダリングされた印刷物は、レンダリングされた電子写真印刷物またはレンダリングされたインク印刷物である。
【００１２】
レンダリングされた電子写真印刷物に関して、レンダリングされた電子写真印刷物は、トナーを有する基材であり、トナーが基材上に位置し、基材に融着される領域は、レンダリングされた画像である。視覚的に知覚される画像は、基材と、基材に融着されたトナーによって形成されるレンダリングされた画像との組み合わせであってもよく、基材は視覚的に知覚される画像の一部であることに留意されたい。
【００１３】
レンダリングされたインク印刷物に関して、レンダリングされたインク印刷物は、インクを有する基材であり、インクが基材上に位置し、基材上で乾燥または結合される領域は、レンダリングされた画像である。インクは、プリンタまたはペンまたはクイルによって基材に塗布することができる。視覚的に知覚される画像は、基材と、基材上で乾燥または結合されるインクによって形成されるレンダリングされた画像との組み合わせであってもよく、基材は視覚的に知覚される画像の一部であることに留意されたい。
【００１４】
図１は、モジュラーマーキングサブシステム１０を示す。図１のモジュラーマーキングサブシステム１０は、見やすくするために、典型的な印刷モジュールを支持するために典型的に使用されるハウジングまたは他の構成要素なしで示されている。
【００１５】
企図されるように、モジュラーマーキングサブシステム１０は、電子写真またはインクジェットベースの印刷システムのいずれかでの例示的な使用を見出されるインラインモジュールとして、またはスタンドアロンシステムとして使用することができる。
【００１６】
一例示的実装形態では、上部にレンダリングされた画像４２を有する文書または基材４４は、印刷システムまたはインサータからの直接出力によってモジュラーマーキングサブシステム１０に送達され得る。
【００１７】
図１に示すように、画像検出バー２０は、走査される文書４４から走査データを生成する全幅アレイスキャナを含むことができる。
【００１８】
一実施形態では、画像検出バー２０は、文書経路２４の上に位置付けされ、文書経路２４はコンベヤベルト（図示せず）を含むことができる。その重要性は、以下でさらに詳細に説明するコンベヤベルトを、ローラ及びモータ（図示せず）の従来の配列によって矢印２６の方向に駆動することができる。
【００１９】
全幅アレイスキャナ２０からの下方経路は、図１に示すように、印刷バーマーキングモジュール３４である。
【００２０】
一実施形態では、印刷バーマーキングモジュール３４は、オーバーコーティングインク（図示せず）の供給と連通する印刷ヘッドアレイとして構成することができる。
【００２１】
二次元及び三次元インクジェット印刷技術の当業者には理解されるように、図１には１つの印刷バーマーキングモジュールしか示されていないが、２つ以上の印刷バーマーキングモジュールを文書経路２４の上に位置付けすることによって、特にテクスチャ加工された印刷の領域における様々な効果及び利点が得られる。
【００２２】
一例示的実施形態では、オーバーコーティングインクは、レンダリングされた画像４２がその上部に置かれた文書または基材４４に塗布（噴射）されるとき、液体インクである。
【００２３】
オーバーコーティングインクは、紫外線（ＵＶ）硬化性ゲルインクを含むことができることに留意されたい。ＵＶ硬化性ゲルインクは、印刷ヘッドのインクジェットイジェクタによって射出される前に加熱されてもよい。
【００２４】
本明細書で使用される場合、液体インクとは、相変化インク、溶融固体インク、加熱ゲルインク、または水性インク、インクエマルション、インク懸濁液、インク溶液などの他の既知の形態のインクを指す。
【００２５】
印刷バーマーキングモジュール３４と共に使用するのに好適なＵＶ硬化性オーバープリントワニス（インク）の例は、米国特許出願公開第２０１２／０１２３０１４号に開示されている。
【００２６】
さらに、ＵＶ硬化性オーバープリントワニス（インク）配合物は、モノマーまたはオリゴマー及び湿潤添加剤の少なくとも１つのワニス（インク）ビヒクルを含んでもよい。湿潤添加剤は、主にアクリレートであり得るワニス（インク）ビヒクル、及びアミノ官能化シリコンオイルであり得るフューザーオイルの両方に親和性を有する。
【００２７】
他の実施形態はまた、例えば、硬化性アミドゲル化剤相変化剤、ワックス、光開始剤、安定剤、または他の添加剤を含み得る。
【００２８】
上記のように、ＵＶ硬化性オーバープリントワニス（インク）配合物は、硬化性アミドゲル化剤相変化剤を含む相変化剤を含むことができる。
【００２９】
「相変化剤」とは、所望の温度範囲内でオーバープリントワニス（インク）組成物の粘度を増加させるように機能する添加剤を指す。特に、ゲル化剤は、ゲル化剤のゲル化点より低い温度、例えばオーバープリントワニス（インク）組成物が噴射される温度より低い温度でオーバープリントワニス（インク）配合物中に固体状ゲルを形成する。
【００３０】
ゲル相は、典型的には、固体様相及び共存する液相を含み、固体様相は、液相全体にわたって三次元網目構造を形成し、液相が巨視的レベルで流れるのを防止する。
【００３１】
オーバープリントワニス（インク）組成物は、温度がオーバープリントワニス（インク）組成物のゲル化点よりも上または下に変化すると、ゲル状態と液体状態との間で熱可逆的遷移を示す。このゲル再形成のサイクルは、ゲルがゲル化剤分子間の物理的な非共有結合相互作用によって形成されるので、何度も繰り返すことができる。
【００３２】
放射線硬化性オーバープリントワニス（インク）配合物に使用するのに好適なゲル化剤は、硬化性ポリアミド−エポキシアクリレート成分及びポリアミド成分からなる硬化性ゲル化剤、硬化性エポキシ樹脂及びポリアミド樹脂、アミドゲル化剤などからなる硬化性複合ゲル化剤を含む。
【００３３】
本明細書に記載のオーバープリントワニス（インク）組成物中にゲル化剤を含有させることにより、オーバープリントワニス組成物が冷却するにつれて、オーバープリントワニス（インク）組成物の粘度が迅速に増加するので、基材上への過剰な浸透なく、オーバープリントワニス（インク）組成物が、基材に（その上に画像があっても、またはなくても）、コーティングされることを可能にする。
【００３４】
紙のような多孔性基材への液体の過度の浸透は、基材の不透明度の望ましくない低下を招く可能性がある。硬化性ゲル化剤は、本明細書に記載のモノマーの硬化に関与する。ゲル化剤を含有することによる粘度の増加は、酸素がフリーラジカル重合の阻害剤であるため、オーバープリントワニス（インク）中への酸素の拡散も減少させる可能性がある。
【００３５】
本明細書に記載されたオーバープリントワニス（インク）配合物に使用するのに好適なゲル化剤は、オーバープリントワニス（インク）組成物がその上にシリコンオイルを有する基材上に利用される場合の濡れ性を改善するために、本質的に両親媒性であり得る。本明細書で使用される場合、両親媒性とは、分子の極性部分と非極性部分の両方を有する分子を指す。例えば、本明細書に記載されるゲル化剤は、長い非極性炭化水素鎖及び極性アミド結合を有し得る。
【００３６】
図２に示すように、印刷バーマーキングモジュールまたは印刷アレイ３４と共に使用するのに好適な印刷ヘッド３８の例示的な構成。印刷ヘッド３８は、印刷ヘッドの底部を横切って１つ以上のアレイに分散された印刷ノズル４０を含む。
【００３７】
以下でさらに詳細に説明するように、文書または基材４４（図１）上のレンダリングされた画像４２をオーバーコーティングするために、透明または実質的に透明なインク（その例は上述されている）が、印刷ノズル４０の選択されたものから選択的に排出され得る。印刷ヘッド３８は、オーバーコーティングプロセスを好適に利用するのに十分なサイズ及び密度の印刷ノズル４０のアレイを含む。
【００３８】
例示的な実施形態では、印刷ヘッド３８は、連続的にパッケージングされ、媒体、例えば文書または基材４４からの交互の高さの距離に存在することができる。
【００３９】
図１に示すように、印刷アレイ３４の下方経路は、紫外線（「ＵＶ」）露光ユニットまたは光源デバイス４８である。ＵＶ硬化性インクを使用するプリンタでは、光源は、水銀蒸気ランプまたはＵＶ発光ダイオード（ＵＶ  ＬＥＤ）であってもよい。
【００４０】
図１にさらに示されているように、モジュラーマーキングサブシステム１０にはシステムコントローラ５０が設けられている。システムコントローラ５０は、モジュラーマーキングサブシステム１０を介して、全幅アレイ走査デバイス２０、印刷バーマーキングモジュール３４、ＵＶ露光ユニット４８、及び文書または基材４４を運搬するサブシステムと通信する。コントローラ５０は、好適な量のメモリ（図示せず）及びプロセッサ（図示せず）を含む。コントローラ５０は、モジュラーマーキングサブシステム１０を通過する文書または基材４４の速度を制御し、印刷バーマーキングモジュール３４の動作を制御し、ＵＶ露光ユニット４８の動作を制御する役割を果たす。
【００４１】
さらに詳細に後述するように、コントローラ５０は、全幅アレイ走査デバイス２０からの情報（走査データ）を使用して、印刷ノズル４０の発射、ならびにＵＶ露光ユニット４８のＯＮ及びＯＦＦ、の両方を制御してノズル４０によって分配されたインクをレンダリングされた画像４２上に硬化させる。
【００４２】
より具体的には、コントローラ５０は、印刷バーマーキングモジュール３４を制御して、レンダリングされた画像４２がダイレクトインクツーペーパープロセスまたは電子写真マーキングプロセスで形成されているかどうかにかかわらず、文書または基材４４上のレンダリング画像４２をオーバーコーティングする。
【００４３】
図３は、図１のモジュラーマーキングサブシステム１０によるオーバーコーティング技術を実装するための例示的なプロセスを示す。
【００４４】
実際には、レンダリングされた画像を各々含む１つ以上の基材は、インサータまたは従来の文書フィーダによってモジュラーマーキングサブシステム１０のフロントエンドに導入されてもよい。
【００４５】
依然として、図１及び図３を参照すると、ステップＳ１０において、「印刷物」（すなわち、レンダリングされた画像４２を含む文書または基材４４）が、全幅アレイ走査デバイス２０に搬送され、印刷物の走査が実行される。ステップＳ１０での走査の結果、レンダリングされた画像４２を含む文書または基材４４から走査データが取り込まれる。
【００４６】
走査データは、走査ステーションの背景、文書または基材４４から反射された光、またはレンダリングされた画像４２から反射された光のいずれかから反射された光の強度を表す。
【００４７】
全幅アレイ走査デバイス２０がカラー走査デバイスである場合、走査データは、通常ＲＧＢデータで表される。全幅アレイ走査デバイス２０が黒／白走査デバイスである場合、走査データは、通常黒／白データまたはグレースケールデータによって表される。
【００４８】
次に、登録データが全幅アレイ走査デバイス２０に対する文書または基材４４の最先端部の位置を表すデータであり得る登録データは、ステップＳ２０において、コントローラ５０または全幅アレイ走査デバイス２０内のプロセッサによって走査データから導出される。
【００４９】
一例では、全幅アレイ走査デバイス２０は、文書または基材４４の最先端部を表す位置信号を生成するための媒体経路センサ（図示せず）を使用してもよく、位置信号は、オーバーコーティング技術を使用してコントローラ５０に送信される。
【００５０】
登録データは、文書または基材４４が文書経路２４に沿ってプロセス方向に搬送されているときに反射システムで取得することもできる。
【００５１】
例えば、Ｘｅｒｏｘ（商標）Ｃｉｐｒｅｓｓ印刷機で採用されているような反射システムは、コントローラ５０と通信することができ、文書経路２４のその側面（複数可）に沿って及び経路内に配置されたセンサ（図示せず）を使用して実装され得る。反射システムは、文書または基材４４の文書経路２４に沿った横方向位置、及び文書または基材４４の最先端部及び最後端部の少なくとも１つを検出する。
【００５２】
また、ステップＳ２０において、コントローラ５０または全幅アレイ走査デバイス２０内のプロセッサによって、背景色（基材４４の色）を表すデータが決定される。
【００５３】
背景色は、当業者に知られている任意の通常のプロセスを用いて決定することができる。
【００５４】
例えば、全幅アレイ走査デバイス２０内のコントローラ５０またはプロセッサは、文書または基材４４の最先端部の検出後に、走査データの画像値のヒストグラムを作成して、背景色（文書または基材４４の色）を識別することによって、文書または基材４４の最先端部に位置する所定数の走査線を解析してもよい。
【００５５】
次に、決定された背景色が、取得された走査データと比較されて、基材４４上のレンダリングされた画像４２が識別される。
【００５６】
例えば、取得した走査データの画像データ値と、決定された背景色とを比較し、取得した走査データの画像データ値が、決定した背景色の所定の範囲内である場合、取得された走査データは、背景（文書または基材）を表すとみなされる。
【００５７】
一方、取得された走査データの画像データ値が、決定された背景色の所定の範囲に等しくない場合、取得された走査データは、レンダリングされた画像を表すものとみなされる。
【００５８】
決定された背景色が画像データ値の範囲として確立され、決定された背景色が範囲の中心における画像データ値である場合、決定プロセスはコントラストの調整を可能にすることができる。
【００５９】
走査データのユニットが画像データ値の範囲外の画像値を有する場合、走査データのユニットは、レンダリングされた画像４２の一部であると判定される。一方、走査データのユニットが画像データ値の範囲内またはそれに等しい画像値を有する場合、走査データのユニットは、基材４４の一部であると判定される。
【００６０】
当業者であれば容易に理解できるように、コントローラ５０は、ステップＳ１０を介して、収集された走査データに画像データ値を割り当てるための好適な画像処理ソフトウェアを備えることができる。このような割り当てから得られた画像データ値は、レンダリングされた画像４２が適切にオーバーコーティングされ、非画像化基材にオーバーコーティングすることを避けるように、決定された背景値と比較され、レンダリングされた画像４２が基材４４から区別される。
【００６１】
したがって、オーバーコーティングが行われる領域、すなわちレンダリングされた画像４２は、決定された背景色とは異なる画像データ値を識別することによって定義される。
【００６２】
上述したように、決定された背景色は、走査データのユニットの画像データ値が決定された背景色と所定の量だけ異なる場合に、レンダリングされた画像４２の識別が決定されるように画像データ値の範囲とすることができる。
【００６３】
その後、コントローラ５０は、ステップＳ３０を介して、レンダリングされた画像４２の識別を使用して、レンダリングされた画像４２上に透明ＵＶ硬化性ゲルインクのような液体材料の好適な量を分配するためのノズル４０の発射を制御する。
【００６４】
図４及び図５を参照すると、レンダリングされた画像が、透明ＵＶ硬化性インクのようなオーバーコーティングインクでオーバーコーティングされる例が示されている。
【００６５】
図４に示すように、レンダリングされた画像の部分１４０は、非触覚的に識別可能であっても非光沢であってもよく、基材１１０上に配置される。図４の例では、基材１１０の背景色とレンダリングされた画像部分１４０との間の色のコントラストが目立つように、レンダリングされた画像部分１４０の間に非マーキング（非レンダリングされた）領域１３０が存在する。
【００６６】
図４は、レンダリングされた画像部分１４０が基材１１０に対して高さを有することを示していることに留意されたい。しかしながら、人間の触覚感知の分解能の限界に起因して、レンダリングされた画像部分１４０の図示された高さは、人間の指によって触覚的に識別可能ではない。
【００６７】
触覚的に識別可能なレンダリングされた画像部分１４０を実現するために、レンダリングされた画像部分１４０は、レンダリングされた画像部分１４０を触覚的に識別可能にするのに十分な高さをレンダリングされた画像部分１４０に追加する追加のマーキング材料でオーバーコーティングされる必要がある。
【００６８】
図５は、レンダリングされた画像部分１４０を触覚的に識別可能にするのに十分な高さをレンダリングされた画像部分１４０に追加する追加のマーキング材料によるオーバーコーティングの例である。
【００６９】
図５に示すように、レンダリングされた画像部分１４０は、オーバーコーティングインク１５０でオーバーコーティングされているものとして示されている。
【００７０】
全幅アレイスキャナの解像度が、オーバーコーティングインク１５０を塗布するマーキングモジュールの解像度と好適に一致する場合、オーバーコーティングインクの液滴配置が最適化されることが理解されよう。
【００７１】
付加的に、レンダリングされた画像１４０の部分のそれぞれの位置及び境界は、全幅アレイスキャナの解像度が１インチ当たり３００スポットほど低い場合、特に、オーバーコーティングインク１５０でオーバーコーティングされているレンダリングされた画像１４０の部分がテキストを含む場合に、適切に決定することができる。
【００７２】
走査の最大限の柔軟性のために、全幅アレイスキャナは、より精密で詳細なまたは繊細なレンダリングされた画像の走査に対応する従来のプログラム可能な走査解像度の特徴または機能を含むことができる。
【００７３】
より精密で詳細なまたは繊細なレンダリングされた画像は、０．００３３インチ未満の寸法幅、または０．００３３インチ未満の寸法高さなどのような、０．００３３インチ未満の寸法測定値（１インチ当たり３００スポットの解像度に対応するスポットの寸法測定値）を有するレンダリングされた構造（テキスト、グラフィックスなど）を含むレンダリング画像を含むことができることに留意されたい。
【００７４】
例えば、レンダリングされた画像の一部に漢字文字が含まれている場合、漢字の精密な詳細を取り込むには、より高い走査解像度が必要になることがある。
【００７５】
このように、１インチ当たり３００スポットを超える解像度で走査可能なプログラム可能な走査解像度の特徴または機能を有する走査システムは、１インチ当たり３００スポットを超える解像度で文書を走査して適切に漢字文字を取り込むようにプログラムまたは「指示」され得る。
【００７６】
図１に示すように、透明インク液滴１５が、レンダリングされた画像４２上に分配される。液滴１５のサイズは、液滴を分配する際に使用される熱の量を変更することによって、リンクされるレンダリングされた画像４２の領域に応答的に（動的に）調整され得ることが認識されるべきである。
【００７７】
代替的に、印刷バーマーキングモジュール３４の下流に配置された別の印刷バーマーキングモジュール（図示せず）によって、以前に供給された液滴１５上に透明インクの別の液滴を分配することによって、液滴１５に関連付けられる堆積の高さを高めることができる。
【００７８】
レンダリングされた画像４２をオーバーコーティングするために所望の量の透明インクが供給された後、ＵＶ露光ユニット４８が、ステップＳ４０を介して、オーバーコーティングされたレンダリング画像を硬化させるために使用される。
【００７９】
印刷バーマーキングモジュール３４として文書経路２４内にある全幅アレイスキャナ２０を用いて登録情報を動的に取得することにより、印刷バーマーキングモジュール３４、コントローラ５０、及びＵＶ露光デバイス４８を含む下流システム構成要素は、文書または基材４４上に配置されたレンダリングされた画像４２を迅速かつ正確にオーバーコーティングするために必要な全ての情報を容易に提供されることに留意されたい。
【００８０】
さらに、モジュラーマーキングシステム１０は、インラインモジュールまたはスタンドアロンユニットとしての使用を可能にすることに留意されたい。スタンドアロンユニットは、商業印刷ショップの設定でキオスクとして利用することができる。
【００８１】
例えば、顧客は、結婚式招待状などのレンダリングされた電子写真印刷物をスタンドアロンモジュラーマーキングシステム１０のフロントエンドに挿入し、スタンドアロンマーキングシステムのバックエンドでオーバーコーティング製品を受け取ることができる。
【００８２】
また、オーバーコーティングプロセスを利用して、エンボス加工やＡＤＡサイネージ（点字）などの他の関連するテクスチャ加工された印刷アプリケーションなど、レンダリングされた画像上にテクスチャ加工されたパターンを作成することができることにも留意されたい。
【００８３】
モジュラーマーキングシステム１０がより大きな印刷システムの一部である構成では、基材上の画像の最初のレンダリングは、透明マーキング材料を非透明マーキング材料の周りの境界としてレンダリングすることを含むことができる。
【００８４】
図６に示すように、透明マーキング材料境界付きレンダリングされた画像１２０は、基材１１０を含む。基材１１０上には、レンダリングされた透明マーキング材料１３００の境界によって囲まれた非透明マーキング材料のレンダリングされた画像１４０が形成されている。
【００８５】
レンダリングされた透明マーキング材料１３００の境界は、レンダリングされた透明マーキング材料１３００に関連付けられる領域が、基材１１０の色特性を呈し、それによって、オーバーコーティングプロセスにおいて、背景色または基材１１０として識別されるため、オーバーコーティングプロセス中にレンダリングされた画像１４０の一部として考慮されないことに留意されたい。
【００８６】
図６は、レンダリングされた画像部分１４０が、基材１１０及びレンダリングされた透明マーキング材料１３００に対して高さを有することを示していることに留意されたい。しかしながら、人間の触覚感知の分解能の限界に起因して、レンダリングされた画像部分１４０の図示された高さは、人間の指によって触覚的に識別可能ではない。
【００８７】
触覚的に識別可能なレンダリングされた画像部分１４０を実現するために、レンダリングされた画像部分１４０は、レンダリングされた画像部分１４０を触覚的に識別可能にするのに十分な高さをレンダリングされた画像部分１４０に追加する追加のマーキング材料でオーバーコーティングされる必要がある。
【００８８】
図８は、透明マーキング材料境界付きレンダリングされた画像１２５のより詳細な図を示す。図８に示されているように、透明マーキング材料境界付きレンダリングされた画像１２５は、レンダリングされた透明マーキング材料１３００によって境界が定められたレンダリングされた画像１４０を含む。
【００８９】
レンダリングされた画像１４０を境界付けするためにレンダリングされた透明マーキング材料１３００を含めることにより、オーバーコーティングインクが基材１１０上に滲み出したり、こぼれたりする問題が解決される。
【００９０】
より具体的には、図７に示すように、レンダリングされた画像１２００において、オーバーコーティングインク１５００は、レンダリングされた画像１４０からレンダリングされた透明マーキング材料１３００上に滲み出るか、こぼれる。この状況では、レンダリングされた透明マーキング材料１３００は、レンダリング前のオーバーコーティングインク１５００を基材１１０との望ましくない相互作用から保護する。換言すれば、レンダリングされた透明マーキング材料１３００は、滲み出したまたはこぼれたオーバーコーティングインク１５００を回収するための流出領域として働く。
【００９１】
図９に示すように、レンダリングされた画像１００は、滲み出したまたはこぼれたオーバーコーティングインク１５００を用いて基材１１０をシールする透明材料１３５０によってコーティングされた基材１１０上に形成されてもよいことに留意されたい。
【００９２】
図９は、レンダリングされた画像部分１４０が、基材１１０及び透明マーキング材料１３５０に対して高さを有することを示していることに留意されたい。しかしながら、人間の触覚感知の分解能の限界に起因して、レンダリングされた画像部分１４０の図示された高さは、人間の指によって触覚的に識別可能ではない。
【００９３】
触覚的に識別可能なレンダリングされた画像部分１４０を実現するために、レンダリングされた画像部分１４０は、レンダリングされた画像部分１４０を触覚的に識別可能にするのに十分な高さをレンダリングされた画像部分１４０に追加する追加のマーキング材料でオーバーコーティングされる必要がある。
【００９４】
図１０に示すように、透明材料１３５０は、レンダリング前のオーバーコーティングインク１５００を基材１１０との望ましくない相互作用から保護する。換言すれば、レンダリングされた透明材料１３５０は、滲み出したまたはこぼれたオーバーコーティングインク１５００が基材１１０と望ましくない相互作用をするのを防ぐためのシールドまたは障壁として働く。
【００９５】
透明材料１３５０は、レンダリングされた画像を形成するマーキング材料を塗布する前に、最初に透明マーキング材料を基材全体に塗布することによって形成されてもよいことに留意されたい。
【００９６】
図１１及び図１２は、レンダリングの前にオーバーコーティングインクを基材との望ましくない相互作用から保護するための別の実施形態を示している。
【００９７】
図４に示すように、レンダリングされた画像１４０の部分は、非触覚的に識別可能であっても非光沢であってもよく、基材１１０上に配置される。
【００９８】
図１１の例では、レンダリングされた画像１００は、基材１１０の背景色とレンダリングされた画像部分１４０との間の色のコントラストが顕著になるように、レンダリングされた画像部分１４０の間に存在する非マーキング（非レンダリングされた）領域１３０を含む。
【００９９】
図１１は、レンダリングされた画像部分１４０が、基材１１０に対して高さを有することを示していることに留意されたい。しかしながら、人間の触覚感知の分解能の限界に起因して、レンダリングされた画像部分１４０の図示された高さは、人間の指によって触覚的に識別可能ではない。
【０１００】
触覚的に識別可能なレンダリングされた画像部分１４０を実現するために、レンダリングされた画像部分１４０は、レンダリングされた画像部分１４０を触覚的に識別可能にするのに十分な高さをレンダリングされた画像部分１４０に追加する追加のマーキング材料でオーバーコーティングされる必要がある。
【０１０１】
図１２に示すように、レンダリングされた画像１４００において、オーバーコーティングインク１５５０は、レンダリングされた画像部分１４０上に境界領域１６００を作成するために「クリップされる」。より具体的には、クリップされたオーバーコーティングインク１５５０は、レンダリングされた画像の領域の全領域（マーキング材料の領域）未満の領域を覆う。
【０１０２】
「クリッピング」は、オーバーコーティングインク１５５０の滲み出しまたはこぼれがレンダリングされた画像部分１４０の縁部に達するのを防止し、それによりレンダリング前のオーバーコーティングインク１５５０が基材１１０と望ましくない相互作用から保護する。
【０１０３】
クリッピングは、レンダリングされた画像を表す識別された画像データを処理して、印刷バーマーキングモジュール３４に送られる画像データの所定の部分をクリップし、それにより境界領域１６００を作成することによって実現することができる。
【０１０４】
開示された実施形態は、基材上にレンダリングされた画像を液体材料でオーバーコーティングするための装置を含む。この装置は、レンダリングされた画像を基材上で移動させる可動搬送部材と、レンダリングされた画像を含む基材を走査して走査データを取得する走査デバイスと、走査デバイスに動作可能に接続され、登録データ及び画像データを走査データから生成するコントローラと、コントローラに動作可能に接続され、走査デバイスの下流に位置するマーキングモジュールと、を含み、マーキングモジュールは、登録データに応答して基材上のレンダリングされた画像を液体材料でオーバーコーティングし、画像データは、コントローラからマーキングモジュールに伝達される。
【０１０５】
走査デバイスは、可動搬送部材の少なくとも一部の上に延在する全幅アレイ走査デバイスを含むことができる。
【０１０６】
マーキングモジュールは、液体材料をインク液滴の形態で分配することができ、コントローラは、決定された登録データ及び決定された画像データに基づいて、マーキングモジュールによる液体材料の分配を制御して、レンダリングされた画像上の正確な配置を保証することができる。
【０１０７】
液体材料は、透明ＵＶ硬化性ゲル化剤インクを含むことができる。
【０１０８】
この装置は、上部に配置された透明ＵＶ硬化性ゲル化剤インク及びレンダリングされた画像を硬化させるための、マーキングモジュールの下流に配置されたＵＶ硬化デバイスを含むことができる。
【０１０９】
基材上のレンダリングされた画像は、レンダリングされた画像を走査デバイスで走査する前に、電子写真プロセスによってレンダリングされ得る。
【０１１０】
基材上のレンダリングされた画像は、シリコンオイルを含むことができ、レンダリングされた画像は、シリコンオイルを含むレンダリングされた画像に付着するように適合された透明ＵＶ硬化性ゲル化剤インクでオーバーコーティングされる。
【０１１１】
走査デバイス、マーキングサブシステム、可動搬送部及びコントローラは、スタンドアロンユニットの一部であってもよく、レンダリングされた画像を含む基材がスタンドアロンユニットのフロントエンドで全幅アレイ走査デバイスに供給され、スタンドアロンユニットのバックエンドで、透明ＵＶ硬化性ゲル剤インクでオーバーコーティングされたレンダリングされた画像と共に、出力として送達される。
【０１１２】
コントローラは、基材の背景色を決定し、基材の決定された背景色と走査データとの比較に基づいて、基材上のレンダリングされた画像を表す画像データを走査データから決定することができる。
【０１１３】
開示された実施形態は、基材上にレンダリングされた画像を液体材料でオーバーコーティングするための方法をさらに含む。この方法は、（ａ）レンダリングされた画像を含む基材を走査デバイスに供給することであって、走査デバイスが、マーキングモジュールの上流に配置される、供給することと、（ｂ）レンダリングされた画像を含む基材を、走査デバイスで走査して走査データを取得することと、（ｃ）登録データを走査データから生成することと、（ｄ）基材上にレンダリングされた画像を表す画像データを走査データから生成することと、（ｅ）登録データ及び画像データをマーキングモジュールに伝達することと、（ｆ）レンダリングされた画像を含む基材を走査デバイスから移動させて、レンダリングされた画像をマーキングサブシステムの下の基材上に位置付けすることと、（ｇ）印刷モジュールでコントローラから登録データ及び画像データを受け取ることに応答して、基材上にレンダリングされた画像を印刷モジュールからの液体材料でオーバーコーティングすることと、を含む。
【０１１４】
走査は、レンダリングされた画像を含む基材を走査するために全幅アレイ走査デバイスを使用することができる。
【０１１５】
この方法は、（ｉ）生成された登録データ及び生成された画像データに基づいて、マーキングモジュールによる液体材料の液滴の分配を制御して、レンダリングされた画像上に液滴を正確に配置することを確実にすることを含むことができる。
【０１１６】
液体材料は、透明ＵＶ硬化性ゲル化剤インクを含むことができる。
【０１１７】
本方法は、（ｊ）透明ＵＶ硬化性ゲル化剤インクをＵＶ硬化させることを含んでもよい。
【０１１８】
基材上のレンダリングされた画像は、電子写真プロセスによってレンダリングされたものであってもよい。
【０１１９】
基材上のレンダリングされた画像はシリコンオイルを含むことができ、透明ＵＶ硬化性ゲル化剤インクによるレンダリングされた画像のオーバーコーティングは、レンダリングされた画像に付着するように適合される。
【０１２０】
基材の背景色は、基材の決定された背景色と走査データとの比較に基づいて、基材上のレンダリングされた画像を表す画像データが走査データから決定されるように決定することができる。
【０１２１】
開示された実施形態は、透明ＵＶ硬化性ゲル化剤インクで基材上にレンダリングされた画像をオーバーコーティングするための装置であって、透明ＵＶ硬化性ゲル化剤インクが、インク液滴の形態で分配可能であり、レンダリングされた画像が、電子写真マーキングプロセスによってレンダリングされ、レンダリングされた画像が、シリコンオイルを含み、レンダリングされた画像を含む基材を移動させるための可動搬送部材と、レンダリングされた画像を含む基材を走査して走査データを取得する走査デバイスと、走査デバイスに動作可能に接続され、走査データから登録データ及び画像データを生成するコントローラと、コントローラに動作可能に接続され、走査デバイスの下流に位置するマーキングモジュールと、を含む装置をさらに含み、マーキングモジュールが、登録データ及びコントローラから受け取った画像データに応答して基材上のレンダリングされた画像を透明ＵＶ硬化性ゲル化剤インクでオーバーコーティングする。
【０１２２】
コントローラは、基材の背景色を決定し、基材の決定された背景色と走査データとの比較に基づいて、基材上のレンダリングされた画像を表す画像データを走査データから決定することができる。
【０１２３】
上述した様々な実施形態及び他の特徴及び機能、またはそれらの代替形態を、多くの他の異なるシステムまたはアプリケーションに望ましく組み合わせることができることが理解されよう。また、当業者であれば、現在予想できない、あるいは予期しない本明細書の様々な代替、改変、変形、改良を行うことができ、それらも特許請求の範囲に包含されることが意図される。
【図１】
2019059231.tif 000003
【図２】
2019059231.tif 000004
【図３】
2019059231.tif 000005
【図４】
2019059231.tif 000006
【図５】
2019059231.tif 000007
【図６】
2019059231.tif 000008
【図７】
2019059231.tif 000009
【図８】
2019059231.tif 000010
【図９】
2019059231.tif 000011
【図１０】
2019059231.tif 000012
【図１１】
2019059231.tif 000013
【図１２】
2019059231.tif 000014